(57)【要約】【課題】同時に複数のつぼを指圧し、かつ、身体の各部位の指圧ないしマッサージに利用できる指圧具を提供する。特に、頭部の使用に適した指圧具を提供する。【解決手段】指圧具１０は、対向する一対の縁部１２Ａ及び１２Ｂ側が反った湾曲形状となっており、利用者２４の頭部３０を受ける構成となっている。一対の縁部１２Ａ及び１２Ｂの一方の端部１４は、利用者２４の首２６を受ける頸部受け部となっている。他方の端部１６側は、頭頂部側を受ける頭頂側受け部となっており、端部１４よりも厚みが厚く形成されている。また、頭部３０を受ける側と反対側の面は、角度の異なる傾斜面１８Ａ及び１８Ｂが形成されており、端部１４側のほうが、端部１６側よりも傾斜が緩やかになっている。頭部３０を指圧具１０に乗せると、一対の縁部１２Ａ及び１２Ｂと端部１６側により、頭部３０の複数位置が同時に指圧される。【選択図】図１
2007151698.tif 000002
【特許請求の範囲】
【請求項１】
頭部後ろ側を支持するとともに、対向する一対の縁部が反った湾曲形状であって、
前記一対の縁部の一方の端部間に形成されており、使用者の頸部を受ける頸部受け部と、
前記一対の縁部の他方の端部間に形成されており、前記使用者の頭頂部側を受けるとともに、前記頸部受け部よりも厚みが厚い頭頂側受け部と、
を有するとともに、
前記一対の縁部と頭頂側受け部によって、前記使用者の頭部を押圧可能であることを特徴とする指圧具。
【請求項２】
対向する一対の縁部が反った湾曲形状であって、
前記一対の縁部の一方の端部間の厚みが、前記一対の縁部の他方の端部間よりも厚く形成されており、
前記一対の縁部と、前記厚みが厚い側の端部間とによって、利用者の身体の一部を押圧可能であることを特徴とする指圧具。
【請求項３】
前記身体の一部が頭部であり、前記厚みの薄い側の端部間で前記利用者の頸部を受けるとともに、前記厚みの厚い側の端部間で前記利用者の頭頂部側を受けることを特徴とする請求項２記載の指圧具。
【請求項４】
前記使用者の身体の一部を受ける側と反対の面が、前記一対の縁部の一方の端部側と他方の端部側とで、異なる角度の傾斜を有することを特徴とする請求項１〜３のいずれかに記載の指圧具。
【請求項５】
前記指圧具を、木材によって形成したことを特徴とする請求項１〜４のいずれかに記載の指圧具。
【請求項６】
断面略弧状の複数のパーツの接合によって形成したことを特徴とする請求項１〜５のいずれかに記載の指圧具。
【発明の詳細な説明】
【技術分野】
【０００１】
本発明は、身体の各部位の指圧に用いられる指圧具に関し、更に具体的には、頭部の指圧に適した指圧具に関するものである。
【背景技術】
【０００２】
健康促進や疲労回復などの様々な目的のために、身体の各部を指圧することは一般に知られている。このうち、頭部の自重を利用して指圧効果を得るものとして、例えば、以下の特許文献１に示す技術がある。該特許文献１には、木製で枕体の上面が曲面状となった蒲鉾形状に形成されており、仰向寝姿勢で首の背面に当て、左右に首を転動させて指圧する首指圧枕が開示されている。
【特許文献１】特開２０００−３３３８０６公報
【発明の開示】
【発明が解決しようとする課題】
【０００３】
しかしながら、以上のような背景技術では、上面の曲面状部分で指圧を行うため、該曲面状部分が当たる限られた部分の指圧効果しか得ることができないという不都合がある。人体のつぼ（刺激を与えて効果があるとされる箇所）は、身体中に多数存在しており、例えば、頭部や頸部だけでも、近接する位置に複数のつぼが存在する。このようなつぼを、同時に複数押圧することができれば、相乗効果を期待することができる。また、前記背景技術は、首の指圧にのみ用いられるものであり、身体の他の部分に適用することを考慮した構成とはなっていないため、首以外の部分を指圧するためには、各部位に適した他の指圧用具などを用いなければならないという不都合がある。
【０００４】
本発明は、以上の点に着目したもので、その目的は、同時に複数のつぼを指圧することができるとともに、身体の多様な部位の指圧ないしマッサージに利用できる指圧具を提供することである。他の目的は、特に、頭部の指圧ないしマッサージに適した指圧具を提供することである。
【課題を解決するための手段】
【０００５】
前記目的を達成するため、本発明の指圧具は、頭部後ろ側を支持するとともに、対向する一対の縁部が反った湾曲形状であって、前記一対の縁部の一方の端部間に形成されており、使用者の頸部を受ける頸部受け部と、前記一対の縁部の他方の端部間に形成されており、前記使用者の頭頂部側を受けるとともに、前記頸部受け部よりも厚みが厚い頭頂側受け部と、を有するとともに、前記一対の縁部と頭頂側受け部によって、前記使用者の頭部を押圧可能であることを特徴とする。
【０００６】
他の発明の指圧具は、対向する一対の縁部が反った湾曲形状であって、前記一対の縁部の一方の端部間の厚みが、前記一対の縁部の他方の端部間よりも厚く形成されており、前記一対の縁部と、前記厚みが厚い側の端部間とによって、利用者の身体の一部を押圧可能であることを特徴とする。主要な形態の一つは、前記身体の一部が頭部であり、前記厚みの薄い側の端部間で前記利用者の頸部を受けるとともに、前記厚みの厚い側の端部間で前記利用者の頭頂部側を受けることを特徴とする。
【０００７】
他の形態は、前記使用者の身体の一部を受ける側と反対の面が、前記一対の縁部の一方の端部側と他方の端部側とで、異なる角度の傾斜を有することを特徴とする。更に他の形態は、前記指圧具を、木材によって形成したことを特徴とする。更に他の形態は、断面略弧状の複数のパーツの接合によって形成したことを特徴とする。本発明の前記及び他の目的，特徴，利点は、以下の詳細な説明及び添付図面から明瞭になろう。
【発明の効果】
【０００８】
本発明は、全体を、対向する一対の縁部が反った湾曲形状とし、前記一対の縁部の一方の端部間の厚みを他方の端部間よりも厚く形成して、前記一対の縁部と前記厚みが厚い側の端部間とによって、利用者の身体の一部の複数のつぼを同時に押圧することとしたので、高い指圧効果を得ることができる。また、全体を、利用者の頭部を受ける大きさに形成し、厚みが薄い側の端部で頸部を受けることによって、安定した姿勢で頭部を有効に指圧することができるという効果が得られる。更に、指圧具ないし身体のいずれかを動かすことにより揉み解し（マッサージ）効果が得られる。
【発明を実施するための最良の形態】
【０００９】
以下、本発明を実施するための最良の形態を、実施例に基づいて詳細に説明する。
【実施例１】
【００１０】
最初に、図１〜図３を参照しながら、本発明の実施例１を説明する。図１(A)は本実施例の外観斜視図，図１(B)は前記(A)を矢印Ｆ１方向から見た側面図，図１(C)は前記(A)を矢印Ｆ２方向から見た平面図である。図１(D)は、本実施例の使用例の一例を示す図であり、前記図１(C)を＃Ａ−＃Ａ線に沿って切断し、矢印方向に見た断面図に相当する。図２及び図３は、本実施例の他の使用例を示す図である。
【００１１】
図１に示すように、本実施例の指圧具１０は、対向する一対の縁部１２Ａ及び１２Ｂ側が反った湾曲形状となっており、湾曲面によって利用者２４の頭部３０を受ける構成となっている。前記一対の縁部１２Ａ及び１２Ｂの一方の端部１４側（図示の例では右側）は、利用者２４の首２６を受ける頸部受け部となっており、他方の端部１６側（図示の例では左側）は、利用者２４の頭頂部側を受ける頭頂側受け部となっている。前記端部１６は、他方の端部１４よりも厚みが厚く形成されている。また、図１(B)に示すように、頭部３０を受ける側と反対側の面は、角度の異なる傾斜面１８Ａ及び１８Ｂを有しており、図示の例では、端部１４側のほうが、端部１６側よりも傾斜が緩やかになっている。前記縁部１２Ａ及び１２Ｂの厚みは、例えば、７〜８ｍｍ程度である。
【００１２】
以上のような構成の指圧具１０は、例えば、複数の略弧状のパーツ１０Ａ〜１０Ｍを、木工用ボンドなどで接合して形成される。前記複数のパーツ１０Ａ〜１０Ｍは、それぞれ、平板状の木材を略弧状に切り出すことによって得られる。なお、端部１４と端部１６側の厚みの違いは、パーツ１０Ａ及び１０Ｂを、他のパーツ１０Ｃ〜１０Ｍよりも厚くなるように切り出した後に、所望の形状を形成することにより実現できる。これらパーツ１０Ａ〜１０Ｍを形成するための材料としては、例えば木材が用いられるが、特にヒノキを用いると好都合である。木材を用いることにより、湿気がこもらず、快適な使用感が得られる。また、複数のパーツ１０Ａ〜１０Ｍを重ね合せることにより、指圧具１０の強度が高くなる。
【００１３】
次に、本実施例の作用を説明する。利用者２４は、布団２０の上に枕２２を置き、更にその上に指圧具１０を置く。そして、端部１４側が首２６に当たるように仰向けに寝て、頭部３０を指圧具１０に乗せる。すると、利用者２４の頭部３０の自重により、傾斜面１８Ｂが略水平になるように重心が移動し、持ち上がった端部１４側により首２６が支持される。それと同時に、一対の縁部１２Ａ及び１２Ｂと、頭頂部側の端部１６により、使用者２４の頭部３０のつぼが指圧される。
【００１４】
このように、実施例１によれば、次のような効果がある。
(1)端部１４で利用者２４の首２６を支持するとともに、一対の縁部１２Ａ及び１２Ｂと、厚みが厚い端部１６とによって、前記利用者２４の頭部３０を押圧することとしたので、同時に複数のつぼを押圧して、指圧の相乗効果を得ることができる。
(2)角度の異なる傾斜面１８Ａ及び１８Ｂを形成することとしたので、頭部３０の安定性が増す。
(3)木材を利用することとしたので、快適な使用感を得ることができる。
(4)複数のパーツ１０Ａ〜１０Ｍの接合によって指圧具１０を形成することとしたので、強度を高めることが可能となる。
【００１５】
＜他の使用例＞・・・なお、本実施例は、前記図１で示すように、頭部３０への利用が好適な適用例であるが、例えば、図２(A)に示すように、傾斜面１８Ａ及び１８Ｂ側を腰３２に当てるようにしてもよいし、図２(B)に示すように、縁部１２Ａ及び１２Ｂ側を腰３２に当たるように利用してもよい。また、図２(C)示すように、傾斜面１８Ａ及び１８Ｂ側が上方を向くように置いて、その上に、足首３４を乗せるようにするなど、身体の各部位の指圧に適用可能である。
【００１６】
また、前記図１及び図２に示す例は、身体の自重を利用して指圧効果を得る使い方であるが、図３に示す例のように、指圧具１０を動かして揉み解し（マッサージ）効果を得るようにしてもよい。例えば、図３(A)に示す使用例は、両方の手３８で指圧具１０を持ち、縁部１２Ａ及び１２Ｂを耳３６の後ろに当て、指圧具１０を上下や左右に動かして頭部３０全体を揉み解す例である。また、指圧具１０を持つ角度を変えて横向きに頭部３０に当て、上下左右に動かすようにしてもよい。
【００１７】
図３(B)に示す例は、指圧具１０を手３８で持って腰３２の中心に当て、背中と腰３２の間を上下に擦るように少しずつ上下に移動させる例である。図３(C)に示す例は、指圧具１０を腰３２から臀部４０を通って大腿部４２まで移動させて指圧ないしマッサージするようにした例であり、胃腸不良，血行不良，冷え性などの改善によい。図３(D)に示す例は、両方の足４４の踵４６を、指圧具１０の凹部へ入れ、足４４を使って指圧具１０を図に矢印で示すように回して、縁部１２Ａ，１２Ｂなどで足のさまざまな部分を指圧ないしマッサージする例である。また、足４４をばたつかせたり、つま先を下に曲げたりして指圧ないしマッサージ効果を得るようにしてもよい。更に、図３(E)に示す例は、足裏４８を縁部１２Ａ，１２Ｂに乗せ、足４４を動かして指圧具１０を上下左右などに傾かせることにより、足裏４８を指圧ないしマッサージする例である。
【００１８】
以上説明したように、図１及び図２に示す例のように、指圧具１０を当てた位置を変えずに押し付けることにより指圧効果が得られ、図３に示す例のように、指圧具１０を当てる位置を変えながら押し付けることにより揉み解し（マッサージ）効果が得られる。なお、図３に示す例では、手３８や足４４で指圧具１０を上下左右などに動かすこととしたが、図２に示す例において、利用者２４の身体または指圧具１０のいずれかを少しずつ動かすようにしても、同様の揉み解し効果が得られる。
【００１９】
なお、本発明は、上述した実施例に限定されるものではなく、本発明の要旨を逸脱しない範囲内において種々変更を加え得ることができる。例えば、以下のものも含まれる。
(1)前記実施例１に示した形状，大きさは一例であり、同様の効果を奏するように適宜変更してよい。例えば、一対の縁部１２Ａ及び１２Ｂを直線状にしてもよいし、図１に示す例よりも曲率の大きいカーブを描く曲線状としてもよい。また、利用者２４の年齢や使用部位に応じて、全体の大きさを変えるようにしてもよい。
(2)材質についても同様に、必要に応じて適宜変更可能である。例えば、前記実施例１では、ヒノキを利用することとしたが、他の公知の各種の木材によって形成することを妨げるものではない。また、木材以外の材料を用いるようにしてもよい。
(3)前記実施例１で示した製造方法も一例であり、例えば、木材をくり抜いて一体形成するなど、同様の効果を奏するように適宜変更可能である。
(4)前記実施例１で示した使用例も一例であり、本発明の指圧具は、頭部３０，腰３２，足首３４などのほか、身体の他の部位の指圧ないしマッサージにも適用可能である。
【産業上の利用可能性】
【００２０】
本発明によれば、全体を、対向する一対の縁部が反った湾曲形状とし、前記一対の縁部の一方の端部間の厚みを他方の端部間よりも厚く形成して、前記一対の縁部と前記厚みが厚い側の端部間とによって、利用者の身体の一部の複数のつぼを同時に押圧することとしたので、マッサージ具としても利用可能な指圧具の用途に適用できる。特に、全体を利用者の頭部を受ける大きさに形成することにより、頭部用の指圧具の用途に好適である。
【図面の簡単な説明】
【００２１】
【図１】本発明の実施例１を示す図であり、(A)は外観斜視図，(B)は前記(A)を矢印１方向から見た側面図，(C)は前記(A)を矢印Ｆ２方向から見た平面図，(D)は前記(C)を矢印＃Ａ−＃Ａ線に沿って切断し矢印方向に見た断面図である。
【図２】前記実施例１の他の使用例を示す図である。
【図３】前記実施例１の他の使用例を示す図である。
【符号の説明】
【００２２】
１０：指圧具
１０Ａ〜１０Ｍ：パーツ
１２Ａ，１２Ｂ：縁部
１４，１６：端部
１８Ａ，１８Ｂ：傾斜面
２０：布団
２２：枕
２４：利用者
２６：首
３０：頭部
３２：腰
３４：足首
３６：耳
３８：手
４０：臀部
４２：大腿部
４４：足
４６：踵
４８：足裏
【図１】
2007151698.tif 000003
【図２】
2007151698.tif 000004
【図３】
2007151698.tif 000005